(57)【要約】【課題】ストロボ本体内に無駄な空間（スペース）を生じさせることなく、効率良く電気部品を配置することができるストロボ装置を提供する。【解決手段】ストロボ装置では、ストロボ本体１に収納された、第１の回路基板３１、電池収納室３０ａおよびメインコンデンサ３８によって囲まれたストロボ本体１内の空間に、第１の回路基板３１に形成された切欠部３１ａ、３１ｂに沿って円筒形電気部品７６、７７が配置された。【選択図】図１０
2010181552.tif 000002
【特許請求の範囲】
【請求項１】
ストロボ発光を行う発光部を有するストロボ装置であって、
電池を収納する電池収納部と、
前記発光部と前記電池収納部との間に配置され、前記電池から充電されて発光用の電荷を蓄えるコンデンサと、
前記電池収納部および前記コンデンサが並ぶ面に沿って前記電池収納部側に配置され、切欠部が形成された回路基板とをストロボ本体に収納し、
前記回路基板、前記電池収納部および前記コンデンサによって囲まれた前記ストロボ本体内の空間に、前記切欠部に沿って電気部品を配置したことを特徴とするストロボ装置。
【請求項２】
前記コンデンサは、その長手方向が前記電池収納部の長手方向と平行になるように、配置されたことを特徴とする請求項１記載のストロボ装置。
【請求項３】
前記コンデンサの端子部の近傍にチョークコイルが配置されたことを特徴とする請求項１記載のストロボ装置。
【請求項４】
前記電気部品の体積は前記コンデンサの体積より小さいことを特徴とする請求項１記載のストロボ装置。
【請求項５】
前記回路基板である第１の回路基板が配置された面とは反対側の前記ストロボ本体の面に第２の回路基板を収納し、
前記第１の回路基板と前記第２の回路基板は、前記ストロボ本体の内側に沿って配置された第３の回路基板によって接続されたことを特徴とする請求項１記載のストロボ装置。
【請求項６】
前記チョークコイルを収納するチョークコイル収納部を、前記コンデンサの中心位置より前記発光部側に偏心した位置に配置し、
前記チョークコイル収納部と前記電池収納部との隙間に位置する前記ストロボ本体の部位に、前記電池収納部を開閉する電池蓋の回転中心軸となる回転部を形成したことを特徴とする請求項３記載のストロボ装置。
【請求項７】
前記電池収納部に、前記コンデンサの円筒外形に合わせた円弧状壁が形成されたことを特徴とする請求項１記載のストロボ装置。
【発明の詳細な説明】
【技術分野】
【０００１】
本発明は、ストロボ発光を行うストロボ装置に関する。
【背景技術】
【０００２】
従来、ストロボ装置では、ストロボ発光時に充放電を行うメインコンデンサは、電気部品の中でも大きな体積を有する部品であった。また、ストロボ装置に多くの機能を盛り込むために、ストロボ回路の規模が大きくなり、回路基板の占めるスペースも大きくなってきた。
【０００３】
近年、ストロボ装置の小型化が進むにつれ、メインコンデンサと回路基板と電池を効率よく配置することも重要になっている。
【０００４】
これに対し、構成部品の配置の自由度に対する制約を少なくすることができる照射装置（ストロボ装置）が提案されている（特許文献１参照）。図１２は従来のストロボ装置の内部構成を示す斜視図である。図１２に示すように、特許文献１に記載の、ストロボ発光部１０３を有する照射装置は、メインコンデンサ１０１および回路基板１０２を、照射装置の略中央部のスペースに配置している。これにより、照射装置全体の大きさを小型化することができる。
【先行技術文献】
【特許文献】
【０００５】
【特許文献１】特開２００４−２５８２２５号公報
【発明の概要】
【発明が解決しようとする課題】
【０００６】
しかしながら、上記従来のストロボ装置には、つぎのような課題があった。すなわち、上記従来のストロボ装置は、外部から電源が供給されるので、電池を収納するスペースは設けられていなかった。このため、電池を含めて小型化が図れるストロボ装置のレイアウトを得ることが必要であった。
【０００７】
本発明は、上記課題に鑑みてなされたものであり、ストロボ本体内に無駄な空間（スペース）を生じさせることなく、効率良く電気部品を配置することができるストロボ装置を提供することを目的とする。
【課題を解決するための手段】
【０００８】
上記目的を達成するために、本発明のストロボ装置は、ストロボ発光を行う発光部（４）を有するストロボ装置であって、電池（８１）を収納する電池収納部（３０ａ）と、前記発光部（４）と前記電池収納部（３０ａ）との間に配置され、前記電池（８１）から充電されて発光用の電荷を蓄えるコンデンサ（３８）と、前記電池収納部（３０ａ）および前記コンデンサ（３８）が並ぶ面に沿って前記電池収納部（３０ａ）側に配置され、切欠部（３１ａ、３１ｂ）が形成された回路基板（３１）とをストロボ本体（１）に収納し、前記回路基板（３１）、前記電池収納部（３０ａ）および前記コンデンサ（３８）によって囲まれた前記ストロボ本体（１）内の空間に、前記切欠部（３１ａ、３１ｂ）に沿って電気部品（７６、７７）を配置したことを特徴とする。
【発明の効果】
【０００９】
本発明の請求項１に係るストロボ装置によれば、回路基板、電池収納部およびコンデンサによって囲まれた空間に、切欠部に沿って電気部品を配置したので、ストロボ本体内に無駄な空間を生じさせることなく、効率良く電気部品を配置することができる。
【００１０】
請求項２に係るストロボ装置によれば、コンデンサと電池収納部の外形が接するように効率良く配置することができる。
【００１１】
請求項３に係るストロボ装置によれば、コンデンサとチョークコイルの電気的な経路を短くすることができ、電気的ロスを抑えることができる。
【００１２】
請求項４に係るストロボ装置によれば、電気部品の中でも、コンデンサより体積が小さくかつ比較的体積の大きい電気部品を効率良く配置することができる。
【００１３】
請求項５に係るストロボ装置によれば、第１および第２の回路基板の接続を短い距離で行うことができる。また、実装される部品の高さ制限を共有することができ、空間を効率的に利用することができるとともに、ストロボ装置の薄型化にも有効である。また、第１の回路基板と第２の回路基板を近くに配置することができ、電気的効率も良くなる。
【００１４】
請求項６に係るストロボ装置によれば、チョークコイル収納部と電池収納部との隙間に位置するストロボ本体の部位に電池蓋の回転中心軸となる回転部を形成したので、回転部の位置決めに対する自由度が増し、電池蓋の回転操作性能を十分に発揮することができる。
【００１５】
請求項７に係るストロボ装置によれば、電池収納部に、コンデンサの円筒外形に合わせた円弧状壁が形成されたので、電池収納部とコンデンサとの間隔を狭くすることができ、ストロボ装置の全長幅を短くすることができる。
【図面の簡単な説明】
【００１６】
【図１】実施の形態におけるストロボ装置の外観を示す斜視図である。
【図２】主な外装部分を取り除いた状態におけるストロボ本体１の構成を示す分解斜視図である。
【図３】主な外装部分を取り除いた完成状態におけるストロボ本体１の構成を示す斜視図である。
【図４】ストロボ本体に取り付けられる主な外装部品を示す分解斜視図である。
【図５】通常使用状態における発光部４の構造を示す断面図である。
【図６】ストロボ装置の上方から視た、ストロボ本体１に収納されたメイン基板（第１の回路基板）３１等の電気部品の配置を示す斜視図である。
【図７】ストロボ装置の下方から視た、ストロボ本体１に収納されたサブ基板（第２の回路基板）３６等の電気部品の配置を示す斜視図である。
【図８】ストロボ本体１に収納されたサブ基板（第２の回路基板）３６等の電気部品の配置を示す斜視図である。
【図９】ストロボ本体１に収納されたメイン基板（第１の回路基板）３１等の電気部品の配置を示す平面図である。
【図１０】図９のＡ−Ａ線方向から視た、ストロボ本体１内の電気部品の配置を示す断面図である。
【図１１】メインコンデンサ３８等の電気部品が半田付けされた状態のサブ基板（第２の回路基板）３６を示す図である。
【図１２】従来のストロボ装置の内部構成を示す斜視図である。
【発明を実施するための形態】
【００１７】
本発明のストロボ装置の実施の形態について図面を参照しながら説明する。本実施形態のストロボ装置は、発光部から照射される光の照射方向を変更するバウンス機能および発光部から照射される光の照射角を変更するズーム機能を備えた小型のものである。
【００１８】
図１は実施の形態におけるストロボ装置の外観を示す斜視図である。ストロボ装置は発光部４およびストロボ本体１から主に構成される。ストロボ本体１は、ストロボ動作を行わせる主要な回路を内包し、電池蓋２により単三型電池からなる動作用電源を収納する。ストロボ本体１の下部には、カメラのアクセサリシューに装着するため脚部３が設けられる。
【００１９】
発光部４は、発光光学系を内包し、略箱状の筐体の上面側に、ストロボ本体１に食い込むような形状の突出部４ａを有する。また、発光部４の前面には、発光光学系の一部である透過性樹脂製のフレネルパネル５が設けられる。
【００２０】
図１には、通常使用状態におけるストロボ装置が示されている。発光部４は、ストロボ本体１と外装が連続して一体化された形状を有する。また、ストロボ本体１はカメラへの装着面に対して傾斜した形状を有する。ストロボ本体１の傾斜は、ストロボ装置の総厚みを薄くして携帯性を向上させるためである。カメラへの装着状態における発光部の高さとして、撮影レンズのケラレを生じない程度の高さが必要である。
【００２１】
例えば、ストロボ本体が水平であった場合、その高さを稼ぐためにストロボ本体より下方に脚を伸ばさなければならず、その結果、ストロボ装置の総厚みが増えてストロボ装置の単体時の携帯性は良くない。逆に、ストロボ本体が直立したものである場合、カメラ上方に飛び出し過ぎてしまい、取り扱う際に邪魔になってしまう。
【００２２】
本実施形態におけるストロボ装置は、ストロボ本体１を傾斜させた形状にすることで、ストロボ装置の単体時においても、カメラへの装着時においても、非常に優れた携帯性を有する小型ストロボとなっている。
【００２３】
つぎに、ストロボ本体１の主な構成を、その組み付け方法に従って説明する。図２は主な外装部分を取り除いた状態におけるストロボ本体１の構成を示す分解斜視図である。図３は主な外装部分を取り除いた完成状態におけるストロボ本体１の構成を示す斜視図である。なお、図３では、図２とは逆の方向から見たストロボ本体１が示されている。
【００２４】
ストロボ本体１は、２本の単三型電池を収納する箱状の電池収納部（電池収納室）３０ａを有し、発光部４に向かって伸びた一対の腕部３０ｂ、３０ｃが一体に形成された電池ケース３０を構造部材とする。
【００２５】
腕部３０ｂ、３０ｃ先端には、それぞれ開口穴３０ｅ、３０ｇを有する円筒状のヒンジ軸３０ｄ、３０ｆが内側に向かって突出して形成される。また、ヒンジ軸３０ｄ、３０ｆ近傍には、各ヒンジ軸３０ｄ、３０ｆを中心として所定角度に配置された複数のクリック溝３０ｈが一体に形成されている。
【００２６】
各ヒンジ軸３０ｄ、３０ｆは、ストロボ本体１側におけるバウンス用の回動軸であり、発光部４のヒンジ穴１１ｄと摺動可能に嵌合する。また、各クリック溝３０ｈは、発光部４に取り付けられた一対のバウンスクリック部材１７と係合し、所定角度で発光部４を保持可能なクリック機構を提供する。
【００２７】
発光部４は、ヒンジ軸３０ｄ、３０ｆによりストロボ本体１に保持される。発光部４を組み込む際、可撓性を有した一方の側の腕部３０ｃを開いておき、他方の側のヒンジ軸３０ｄを発光部４のヒンジ穴１１ｄに嵌合させた後、腕部３０ｃのヒンジ軸３０ｆをもう一方のヒンジ穴１１ｄに差し込む作業が行われる。
【００２８】
各ヒンジ軸３０ｄ、３０ｆの中央に設けられた開口穴３０ｅ、３０ｇは、発光部４のファイバ２３や、キセノン管２１およびトリガコイル（図示せず）に接続されたリード線類（図示せず）を発光部４の内部から引き出すためのものである。
【００２９】
ヒンジカバー４４は、ストロボ本体１の外装部材の１つであり、発光部４の回動軸周りの壁面を形成する。可撓性を有する腕部３０ｃは、そのままでは発光部４のバウンスクリック部材１７の付勢力に負けて開いた状態となる。しかし、両腕部３０ｂ、３０ｃに対し、穴４４ｂおよびボス４４ａで係合するヒンジカバー４４を取り付けることで、腕部３０ｃの開きは矯正される。なお、ヒンジカバー４４には、スライド検知レバー４５およびバウンス検知レバー４６が回転・揺動可能な状態で取り付けられている。
【００３０】
発光部４から伸びたファイバ２３の先端には、ファイバ２３からの光を開口部４３ａ側へ９０度折り曲げる反射面を持つファイバホルダ４３が装着されている。このファイバホルダ４３は、電池室中央のホルダ挿入部３０ｉに挿入される。
【００３１】
電池ケース３０の電池収納部３０ａには、電池切片４０、４１が保持された切片ホルダ４２が取り付けられる。電池ケース３０の上面側には、メイン基板３１がビス３４により固定される。メイン基板３１は、ＣＰＵ３２やその裏面側に配置された受光センサ３３が実装されたデジタル系の回路を有する。この受光センサ３３は、ファイバホルダ４３の開口部４３ａの上に位置し、ファイバ２３を伝わってくる発光部４からの光を受光可能である。受光センサ３３は、発光時の光量を監視（モニタ）し、ＣＰＵ３２に発光量制御を行わせるためのものである。
【００３２】
電池ケース３０の下面側、つまりメイン基板３１が取り付けられた電池ケース３０の面とは反対側に、サブ基板３６が取り付けられる。サブ基板３６は、昇圧トランス３７や、組み付けられた際に発光部４に隣接する位置に設けられ、昇圧された発光用の電荷を蓄積する円筒状のメインコンデンサ３８等が実装された高電圧回路を有する。このメインコンデンサ３８近傍の端部には、２つのスイッチ部材４７、４８が実装されている。これらのスイッチ部材４７、４８は、ヒンジカバー４４に取り付けられたスライド検知レバー４５とバウンス検知レバー４６とそれぞれ当接可能である。スイッチ部材４７、４８は、バウンス機能やズーム機能の状態に応じて揺動するスライド検知レバー４５およびバウンス検知レバー４６と当接し、それぞれＯＮ／ＯＦＦを切り替える。
【００３３】
電池ケース３０にサブ基板３６がビス３９により取り付けられると、メインコンデンサ３８は、電池ケース３０の腕部３０ｂ、３０ｃおよびヒンジカバー４４に囲まれた状態となる。電池収納部３０ａの後部には、電源スイッチや表示用ＬＥＤが実装されたスイッチ基板３５が取り付けられる。このようにして、発光部４が取り付けられたストロボ本体１の主要な組み付けが完了する。
【００３４】
図３に示すように、ヒンジ軸３０ｆの開口穴３０ｇから引き出されたファイバ２３は、腕部３０ｃの側面に形成されたガイド部３０ｋを通り、腕部３０ｃの付け根から電池ケース３０の内部に入っていくように配線される。腕部３０ｂ側にも、同様のガイド部３０ｊが形成されている。ファイバ２３の以外にも発光部４から引き出されたリード線類（図示せず）は、両ガイド部３０ｊ、３０ｋを通り、配線される。なお、各基板間等を接続するリード線類については、本発明と特に関連しないので、図示ならびに説明を省略する。
【００３５】
発光部４や各基板類（メイン基板３１、スイッチ基板３５、サブ基板３６）が取り付けられた電池ケース３０には、外装部材である本体上カバー５０が取り付けられる。図４はストロボ本体に取り付けられる主な外装部品を示す分解斜視図である。本体上カバー５０は、係止穴５０ａ等による係合で電池ケース３０と仮止めされた後、ビス５３、５４によって固定される。電池ケース３０の腕部３０ｂ、３０ｃの先端部がビス５４によって本体上カバー５０に確実に固定されるので、腕部３０ｂ、３０ｃの先端部で発光部４を保持するヒンジ軸３０ｄ、３０ｆは、ぐらつかなくなる。
【００３６】
電池蓋２および本体下カバー５１が電池ケース３０に取り付けられることで、ストロボ装置全体が完成する。電池蓋２は、本体上カバー５０および本体下カバー５１にそのヒンジ部２ａ、２ｂを回転可能に嵌合させることで、取り付けられる。
【００３７】
本体下カバー５１は、前方側を電池ケース３０の両腕部３０ｂ、３０ｃ先端に形成された係合爪３０ｍと係合することで保持され、後方側をビス５５によって電池ケース３０と結合することで固定される。なお、本体下カバー５１には、カメラとの通信用の端子類や、カメラのアクセサリシューへの装着を行うための脚部３があらかじめ取り付けられている。脚部３については、本発明と特に関連しないので、その説明を省略する。
【００３８】
つぎに、ズーム機能に用いられるスライド機構について説明する。図５は通常使用状態における発光部４の構造を示す断面図である。図中、回動軸６１は、発光部上ケース１１のヒンジ穴１１ｄ、およびこのヒンジ穴１１ｄに挿通される電池ケース３０のヒンジ軸３０ｄ、３０ｆによって構成されるバウンス機能用の回動軸である。なお、回動軸６１は、図中、分かり易くするために、マークで示されている。
【００３９】
発光部４の通常使用状態では、スライダ１４の梁状部１４ａは、発光部４から後方に突出し、ストロボ本体内の円筒状のメインコンデンサ３８のほぼ上方に生じている空隙内に侵入する。スライダ１４を主要部材として構成されるスライド機構は、キセノン管２１および反射傘２０を含む発光光学系の近傍（上方）から回動軸６１を跨ってストロボ本体１内のメインコンデンサ３８の近傍に至るまでの長い距離（範囲）に亘って、配置される。
【００４０】
発光部４の通常使用状態では、発光部上カバー１０とスライダ１４の梁状部１４ａが発光部上ケース１１を挟持する。このスライド機構により、発光部上カバー１０とスライダ１４を有する第２の発光部筐体７は、発光部上ケース１１を有する第１の発光部筐体６に対して引き出される。この引き出された状態であっても、第２の発光部筐体７の先端部が容易に上下方向に振れてしまうことは無い。また、第２の発光部筐体７の左右方向についてもガタが規制される。
【００４１】
つぎに、ストロボ本体１に収納される電気部品の配置について説明する。図６はストロボ装置の上方から視た、ストロボ本体１に収納されたメイン基板（第１の回路基板）３１等の電気部品の配置を示す斜視図である。図７はストロボ装置の下方から視た、ストロボ本体１に収納されたサブ基板（第２の回路基板）３６等の電気部品の配置を示す斜視図である。図８はストロボ本体１に収納されたサブ基板（第２の回路基板）３６等の電気部品の配置を示す斜視図である。図９はストロボ本体１に収納されたメイン基板（第１の回路基板）３１等の電気部品の配置を示す平面図である。図１０は図９のＡ−Ａ線方向から視た、ストロボ本体１内の電気部品の配置を示す断面図である。図１１はメインコンデンサ３８等の電気部品が半田付けされた状態のサブ基板（第２の回路基板）３６を示す図である。
【００４２】
前述したように、ストロボ発光可能な照明装置であるストロボ装置のストロボ本体１には、複数の電池８１をその長手方向から出し入れできるように構成された電池収納室３０ａが設けられている。
【００４３】
また、キセノン（Ｘｅ）管２１および反射傘２０を内包する発光部４は、ストロボ本体１の両側の先端部に形成されたヒンジ軸３０ｄ、３０ｆ（円弧状外形部）と同心のヒンジ穴（円弧状外形部）１１ｄを有し、ストロボ本体１に対して回動自在に軸支される。
【００４４】
また、ストロボ本体１には、ストロボ本体１側から電池収納室３０ａの長手方向に複数の電池８１を装填するまたは取り出す際、開閉される電池蓋２が設けられる。また、ストロボ本体１の発光部４側の側面には、電池蓋２がストロボ本体１に対して略垂直に回動する軸と同心の円弧壁状回転部７１ｃが形成されている（図８、図９参照）。
【００４５】
また、円筒形のメインコンデンサ３８は、電池８１から充電されて発光用の電荷を蓄える、電気部品の中でも大きな体積を有するコンデンサであり、ストロボ発光時に充放電を行う。電池収納室３０ａと発光部４との間の空間（スペース）を利用し、メインコンデンサ３８は、その長手方向が電池収納室３０ａの長手方向と平行になるように、並んで配置される。また、このように並んで配置された電池収納室３０ａ、発光部４およびメインコンデンサ３８の幅員をできるだけ小さくするために、電池収納室３０ａの壁の一部には、メインコンデンサ３８の円筒形状にほぼ沿うような円弧状壁７１ｄが形成される（図１０参照）。この円弧状壁７１ｄにより、電池収納室３０ａおよびメインコンデンサ３８は、それぞれの円筒形状が接するように、互いに平行に組み付けられている。
【００４６】
メイン基板（第１の回路基板）３１は、ストロボ装置の制御を行う回路が実装されたものである。メイン基板３１には、複数の面実装タイプの電気部品、およびメインコンデンサ３８より体積の小さいリード半田部を有する円筒形の電気部品７６、７７が実装される（図６参照）。特に、円筒形の電気部品７６、７７は、電池収納室３０ａの側面に沿って、メインコンデンサ３８と隣接して配置される。
【００４７】
このように、電池収納室３０ａとメインコンデンサ３８が円筒形であることを利用し、それぞれの外形が互いに接するように、これらを平行に並べることにより、第１の回路基板３１と電池収納室３０ａとメインコンデンサ３８で囲まれた部分に空間が生じる。この空間に、メインコンデンサ３８より体積の小さい、リード半田部を有する円筒形の電気部品７６、７７が収納可能となる。例えば、複数のビス３４により、第１の回路基板３１をストロボ本体１に締め付けることで、電気部品７６、７７は固定される。
【００４８】
第１の回路基板３１には、リード半田部を有する円筒形の電気部品７６、７７の足端子部７６ａ、７７ａが挿通される複数の半田穴７５ｂ、７５ｃが形成されている。さらに、第１の回路基板３１には、リード半田部を有する円筒形の電気部品７６、７７の外形に合わせた複数の切欠部３１ａ、３１ｂが形成されている（図９参照）。複数の半田穴７５ｂ、７５ｃに、リード半田部を有する円筒形の電気部品７６、７７の足端子部７６ａ、７７ａをそれぞれ挿入し（図６参照）、第１の回路基板３１に直接半田付けすることで、円筒形の電気部品７６、７７は切欠部３１ａ、３１ｂに沿って固定される。
【００４９】
また、第１の回路基板３１には、第２の回路基板３６と基板同士を電気的に接続するコネクタ７９ａ、およびフレキシブルプリント基板（スイッチ基板）３５と基板同士を電気的に接続するコネクタ７９ｂも実装されている。
【００５０】
第２の回路基板３６は、電池８１からメインコンデンサ３８を充電し、そのエネルギーで発光部４を発光させる回路およびトリガー回路が実装された基板である。また、第２の回路基板３６には、複数の面実装タイプの電気部品や、メインコンデンサ３８より体積の小さいリード半田部を有する電気部品、例えば昇圧トランス３７や他の電気部品８６等が実装される。
【００５１】
前述したように、第１の回路基板３１は、ストロボ本体１の電池収納室３０ａの側面に沿って、メインコンデンサ３８と並べて配置される、つまり、電池収納室３０ａおよびメインコンデンサ３８が並ぶ面に沿って電池収納室３０ａ側（電池収納部側）に配置される。そして、例えば、複数のビス３４によりストロボ本体１に締め付けられることで、第１の回路基板３１は固定される。
【００５２】
第２の回路基板３６には、メインコンデンサ３８の足端子部７４ａおよびチョークコイル８９の足端子部８９ａがそれぞれ挿通される複数の半田穴７８ｂ、７８ｃが形成されている（図８参照）。複数の半田穴７８ｂ、７８ｃにメインコンデンサ３８の足端子部７４ａおよびチョークコイル８９の足端子部８９ａをそれぞれ挿入し、第２の回路基板３６に直接半田付けすることによって、メインコンデンサ３８およびチョークコイル８９は固定される。
【００５３】
チョークコイル８９は、メインコンデンサ３８の足端子部７４ａの近傍の、メインコンデンサ３８の中心位置より発光部側に偏心した位置に配置される（図１１参照）。これにより、電池収納室３０ａとチョークコイル８９を収納するチョークコイル収納部７１ｅと間に隙間が生じ（図９参照）、ストロボ本体１における、電池蓋２の回転中心軸となる円弧壁状回転部７１ｃの位置決めの自由度が増す。よって、円弧壁状回転部７１ｃを、電池蓋２の回転操作性能を十分に発揮できる形状に設計することが可能となる。
【００５４】
また、メインコンデンサ３８とチョークコイル８９が近接に配置されたことにより、メインコンデンサ３８およびチョークコイル８９間の電気的な経路を短くすることができ、電気的ロスを最小限に抑えることができる。
【００５５】
また、第２の回路基板３６には、第１の回路基板３１と回路基板同士を電気的に接続するコネクタ７８ａが実装されている。このコネクタ７８ａに接続される、接続用フレキシブルプリント基板８０（第３の回路基板）は、ストロボ本体１内側の電池ケース３０に沿って、それぞれの回路基板同士を電気的に接続する基板である。電池収納室３０ａの挿入口とは反対側の面に沿って、第１の回路基板３１と第２の回路基板３６にそれぞれ実装されたコネクタ７９ａとコネクタ７８ａに、接続用フレキシブルプリント基板８０を差し込むことで、基板同士は電気的に接続される。
【００５６】
このように、第１の回路基板３１と第２の回路基板３６は、電池収納室３０ａの両側の側面に沿って、略平行に配置されるので、基板同士の接続は最短距離で行うことが可能となる。また、それぞれの実装部品の高さ制限を共有することもでき、スペースを効率良く利用することが可能となり、ストロボの薄型化にも有効である。
【００５７】
フレキシブルプリント基板（スイッチ基板）３５は、ストロボ装置の電源オン／オフ状態を検知する検知スイッチ８３が実装された基板である。フレキシブルプリント基板３５は、電池収納室３０ａの後方に位置する斜面に沿って配置され、第１の回路基板３１に実装されたコネクタ７９ｂと電気的に接続されている。
【００５８】
以上示したように、本実施形態のストロボ装置は、第１の回路基板３１、電池収納室３０ａおよびメインコンデンサ３８によって囲まれたストロボ本体１内の空間に、切欠部３１ａ、３１ｂに沿って電気部品を配置した。これにより、ストロボ本体１内に無駄な空間（スペース）を生じさせることなく、効率良く電気部品を配置することができる。
【００５９】
また、ストロボ本体１の電池収納室３０ａに、メインコンデンサ３８の円筒外形に合わせた円弧状壁７１ｄが形成される。これにより、電池収納室３０ａとメインコンデンサ３８との間隔を狭くすることができ、ストロボ装置の全長幅を短くすることができ、小型化を図ることができる。従って、メインコンデンサ３８と電池収納室３０ａの円弧状壁７１ｄが接するように、効率良く配置することができる。
【００６０】
また、メインコンデンサ３８とチョークコイル８９の電気的な経路を短くすることができ、電気的ロスを抑えることができる。
【００６１】
また、第１の回路基板３１と電池収納室３０ａとメインコンデンサ３８で囲まれた部分に空間（スペース）が生じ、メインコンデンサ３８より体積の小さい、複数のリード半田部を有する円筒形の電気部品７６、７７も収納可能となる。このように、電気部品の中でも、メインコンデンサ３８より体積が小さくかつ比較的体積の大きい電気部品を効率良く配置することができる。従って、ストロボ装置の内部のスペースを無駄なく利用することができ、小型化を促進することができる。
【００６２】
また、第１の回路基板３１および第２の回路基板３６の接続を短い距離で行うことができる。また、実装される部品の高さ制限を共有することができ、空間を効率的に利用することができるとともに、ストロボ装置の薄型化にも有効である。また、第１の回路基板３１と第２の回路基板３６を近くに配置することができ、電気的効率も良くなる。
【００６３】
また、ストロボ発光に必要な複数の電池８１、充放電を行うメインコンデンサ３８、ストロボ制御を行う回路が実装される第１の回路基板３１、および発光回路およびトリガー回路が実装される第２の回路基板３６は、近くに配置される。このような全体のレイアウトをとることで、電気的効率も良くなる。
【００６４】
また、前述したように、チョークコイル収納部７１ｅと電池収納室３０ａとの隙間に位置するストロボ本体１の部位に、電池蓋２の回転中心軸となる円弧壁状回転部７１ｃ（回転部）を形成した。これにより、回転部の位置決めに対する自由度が増し、電池蓋２の回転操作性能を十分に発揮することができる。
【００６５】
なお、本発明は、上記実施の形態に例示したものに限定されるものではなく、本発明の要旨を逸脱しない範囲において適宜変更可能である。
【００６６】
例えば、上記実施形態では、撮像装置に着脱可能なストロボ装置を例示したが、本発明は、これに限定されず、撮像装置と一体化されたストロボ装置に適用されてもよい。
【００６７】
また、上記実施形態のストロボ装置が装着される撮像装置は、コンパクトタイプのデジタルカメラ、フイルムカメラ、デジタルビデオカメラ、デジタルＳＬＲ（一眼レフカメラ）等、特に限定されない。
【符号の説明】
【００６８】
１  ストロボ本体
２  電池蓋
４  発光部
３０ａ  電池収納室
３１  第１の回路基板（メイン基板）
３１ａ、３１ｂ  切欠部
３６  第２の回路基板（サブ基板）
３８  メインコンデンサ
７６、７７  円筒形電気部品
８９  チョークコイル
【図１】
2010181552.tif 000003
【図２】
2010181552.tif 000004
【図３】
2010181552.tif 000005
【図４】
2010181552.tif 000006
【図５】
2010181552.tif 000007
【図６】
2010181552.tif 000008
【図７】
2010181552.tif 000009
【図８】
2010181552.tif 000010
【図９】
2010181552.tif 000011
【図１０】
2010181552.tif 000012
【図１１】
2010181552.tif 000013
【図１２】
2010181552.tif 000014